(57)【要約】  ユーザ機器（ＵＥ）は、第１のアンテナにおいてワイヤレス広域ネットワーク（ＷＷＡＮ）信号を受信し得る。ＵＥは、ＵＥのＷＷＡＮモジュールのＷＷＡＮ受信チェーンの一部を用いてＷＷＡＮ信号を処理し得る。ＷＷＡＮ信号は、ＷＷＡＮ受信チェーンから、ＵＥのワイヤレスローカルエリアネットワーク（ＷＬＡＮ）モジュールのＷＬＡＮ受信チェーンへルーティングされ得る。ＵＥは、この後、ＷＬＡＮ受信チェーンの一部を用いてＷＷＡＮ信号を処理し得る。
2018504807.tif 000002
【特許請求の範囲】
【請求項１】
ワイヤレス通信のための方法であって、
ユーザ機器（ＵＥ）の第１のアンテナにおいてワイヤレス広域ネットワーク（ＷＷＡＮ）信号を受信することと、
前記ＵＥのＷＷＡＮモジュールのＷＷＡＮ受信チェーンの一部を用いて前記ＷＷＡＮ信号を処理することと、
前記ＷＷＡＮ信号を、前記ＷＷＡＮ受信チェーンから、前記ＵＥのワイヤレスローカルエリアネットワーク（ＷＬＡＮ）モジュールのＷＬＡＮ受信チェーンへルーティングすることと、
前記ＷＬＡＮ受信チェーンの一部を用いて前記ＷＷＡＮ信号を処理することと、
を備える、方法。
【請求項２】
前記ＷＷＡＮ信号を、前記ＷＷＡＮ受信チェーンから、前記ＷＬＡＮ受信チェーンへルーティングすることは、
前記ＷＷＡＮ受信チェーンにおいてスイッチを構成することを備える、請求項１に記載の方法。
【請求項３】
前記第１のアンテナにおいて前記ＷＷＡＮ信号を受信することは、
前記ＷＷＡＮモジュールに関連付けられたダイバーシティＷＷＡＮアンテナにおいて前記ＷＷＡＮ信号を受信することを備える、請求項１に記載の方法。
【請求項４】
前記第１のアンテナにおいて前記ＷＷＡＮ信号を受信することは、
前記ＷＬＡＮモジュールに関連付けられたＷＬＡＮアンテナにおいて前記ＷＷＡＮ信号を受信することを備える、請求項１に記載の方法。
【請求項５】
前記ＷＷＡＮ信号を、前記ＷＬＡＮモジュールから、前記ＷＷＡＮモジュールの前記ＷＷＡＮ受信チェーンへルーティングすること
をさらに備える、請求項４に記載の方法。
【請求項６】
前記ＷＷＡＮ信号を、前記ＷＬＡＮモジュールから、前記ＷＷＡＮ受信チェーンへルーティングすることは、
前記ＷＬＡＮ受信チェーンにおいてスイッチを構成することを備える、請求項５に記載の方法。
【請求項７】
前記ＷＷＡＮ受信チェーンの前記一部は、前記ＷＷＡＮモジュールの帯域通過フィルタを備える、請求項１に記載の方法。
【請求項８】
前記ＷＷＡＮ信号を、前記ＷＷＡＮ受信チェーンから、前記ＷＬＡＮ受信チェーンへルーティングすることは、
前記ＷＷＡＮモジュールの前記帯域通過フィルタの後、前記ＷＷＡＮ信号をルーティングすることを備える、請求項７に記載の方法。
【請求項９】
前記ＷＬＡＮ受信チェーンの前記一部は、前記ＷＬＡＮモジュールの増幅器を備える、請求項１に記載の方法。
【請求項１０】
前記ＷＷＡＮ信号は、ＷＷＡＮ探索測定結果を備える、請求項１に記載の方法。
【請求項１１】
前記ＵＥの第２のアンテナにおいて第２のＷＷＡＮ信号を受信することをさらに備え、前記第２のＷＷＡＮ信号は、アクティブなダウンリンク信号を備える、
請求項１に記載の方法。
【請求項１２】
ワイヤレス通信のための装置であって、
ユーザ機器（ＵＥ）の第１のアンテナにおいてワイヤレス広域ネットワーク（ＷＷＡＮ）信号を受信するための手段と、
前記ＵＥのＷＷＡＮモジュールのＷＷＡＮ受信チェーンの一部を用いて前記ＷＷＡＮ信号を処理するための手段と、
前記ＷＷＡＮ信号を、前記ＷＷＡＮ受信チェーンから、前記ＵＥのワイヤレスローカルエリアネットワーク（ＷＬＡＮ）モジュールのＷＬＡＮ受信チェーンへルーティングするための手段と、
前記ＷＬＡＮ受信チェーンの一部を用いて前記ＷＷＡＮ信号を処理するための手段と、
を備える、装置。
【請求項１３】
前記ＷＷＡＮ信号を、前記ＷＷＡＮ受信チェーンから、前記ＷＬＡＮ受信チェーンへルーティングするための前記手段は、
前記ＷＷＡＮ受信チェーンにおいてスイッチを構成するための手段を備える、請求項１２に記載の装置。
【請求項１４】
前記第１のアンテナにおいて前記ＷＷＡＮ信号を受信するための前記手段は、
前記ＷＷＡＮモジュールに関連付けられたダイバーシティＷＷＡＮアンテナにおいて前記ＷＷＡＮ信号を受信するための手段を備える、請求項１２に記載の装置。
【請求項１５】
前記第１のアンテナにおいて前記ＷＷＡＮ信号を受信するための前記手段は、
前記ＷＬＡＮモジュールに関連付けられたＷＬＡＮアンテナにおいて前記ＷＷＡＮ信号を受信するための手段を備える、請求項１２に記載の装置。
【請求項１６】
前記ＷＷＡＮ信号を、前記ＷＬＡＮモジュールから、前記ＷＷＡＮモジュールの前記ＷＷＡＮ受信チェーンへルーティングするための手段
をさらに備える、請求項１５に記載の装置。
【請求項１７】
前記ＷＷＡＮ信号を、前記ＷＬＡＮモジュールから、前記ＷＷＡＮ受信チェーンへルーティングすることは、
前記ＷＬＡＮ受信チェーンにおいてスイッチを構成することを備える、請求項１６に記載の装置。
【請求項１８】
前記ＷＷＡＮ受信チェーンの前記一部は、前記ＷＷＡＮモジュールの帯域通過フィルタを備える、請求項１２に記載の装置。
【請求項１９】
前記ＷＷＡＮ信号を、前記ＷＷＡＮ受信チェーンから、前記ＷＬＡＮ受信チェーンへルーティングするための前記手段は、
前記ＷＷＡＮモジュールの前記帯域通過フィルタの後、前記ＷＷＡＮ信号をルーティングするための手段を備える、請求項１８に記載の装置。
【請求項２０】
前記ＷＬＡＮ受信チェーンの前記一部は、前記ＷＬＡＮモジュールの増幅器を備える、請求項１２に記載の装置。
【請求項２１】
前記ＷＷＡＮ信号は、ＷＷＡＮ探索測定結果を備える、請求項１２に記載の装置。
【請求項２２】
前記ＵＥの第２のアンテナにおいて第２のＷＷＡＮ信号を受信するための手段をさらに備え、前記第２のＷＷＡＮ信号は、アクティブなダウンリンク信号を備える、
請求項１２に記載の装置。
【請求項２３】
ワイヤレス通信のための装置であって、
プロセッサと、
前記プロセッサと電気通信するメモリと、
前記メモリに記憶された命令と、
を備え、前記命令は、
ユーザ機器（ＵＥ）の第１のアンテナにおいて、ワイヤレス広域ネットワーク（ＷＷＡＮ）信号を受信することと、
前記ＵＥのＷＷＡＮモジュールのＷＷＡＮ受信チェーンの一部を用いて前記ＷＷＡＮ信号を処理することと、
前記ＷＷＡＮ信号を、前記ＷＷＡＮ受信チェーンから、前記ＵＥのワイヤレスローカルエリアネットワーク（ＷＬＡＮ）モジュールのＷＬＡＮ受信チェーンへルーティングすることと、
前記ＷＬＡＮ受信チェーンの一部を用いて前記ＷＷＡＮ信号を処理することと、
を行うために、前記プロセッサによって実行可能である、装置。
【請求項２４】
前記ＷＷＡＮ信号を、前記ＷＷＡＮ受信チェーンから、前記ＷＬＡＮ受信チェーンへルーティングするための前記命令は、
前記ＷＷＡＮ受信チェーンにおいてスイッチを構成する
ために前記プロセッサによって実行可能な命令を含む、請求項２３に記載の装置。
【請求項２５】
前記第１のアンテナにおいて前記ＷＷＡＮ信号を受信するための前記命令は、
前記ＷＬＡＮモジュールに関連付けられたＷＬＡＮアンテナにおいて前記ＷＷＡＮ信号を受信する
ために前記プロセッサによって実行可能な命令を含む、請求項２３に記載の装置。
【請求項２６】
前記ＷＷＡＮ信号を、前記ＷＬＡＮモジュールから、前記ＷＷＡＮモジュールの前記ＷＷＡＮ受信チェーンへルーティングする
ために前記プロセッサによって実行可能な命令をさらに備える、請求項２５に記載の装置。
【請求項２７】
前記ＷＷＡＮ信号を、前記ＷＬＡＮモジュールから、前記ＷＷＡＮ受信チェーンへルーティングするための前記命令は、
前記ＷＬＡＮ受信チェーンにおいてスイッチを構成する
ために前記プロセッサによって実行可能な命令を含む、請求項２６に記載の装置。
【請求項２８】
前記ＷＷＡＮ受信チェーンの前記一部は、前記ＷＷＡＮモジュールの帯域通過フィルタを備える、請求項２３に記載の装置。
【請求項２９】
ワイヤレス通信のためのコンピュータ実行可能なコードを記憶する非一時的なコンピュータ読取可能な媒体であって、前記コードは、
ユーザ機器（ＵＥ）の第１のアンテナにおいて、ワイヤレス広域ネットワーク（ＷＷＡＮ）信号を受信することと、
前記ＵＥのＷＷＡＮモジュールのＷＷＡＮ受信チェーンの一部を用いて前記ＷＷＡＮ信号を処理することと、
前記ＷＷＡＮ信号を、前記ＷＷＡＮ受信チェーンから、前記ＵＥのワイヤレスローカルエリアネットワーク（ＷＬＡＮ）モジュールのＷＬＡＮ受信チェーンへルーティングすることと、
前記ＷＬＡＮ受信チェーンの一部を用いて前記ＷＷＡＮ信号を処理することと、
を行うために、プロセッサによって実行可能である、非一時的なコンピュータ読取可能な媒体。
【請求項３０】
前記ＷＷＡＮ信号を、前記ＷＷＡＮ受信チェーンから、前記ＷＬＡＮ受信チェーンへルーティングするための前記コードは、
前記ＷＷＡＮ受信チェーンにおいてスイッチを構成する
ために前記プロセッサによって実行可能なコードを含む、請求項２９に記載の非一時的なコンピュータ読取可能な媒体。
【発明の詳細な説明】
【相互参照】
【０００１】
[0001]本特許出願は、本特許出願の譲受人に譲渡された２０１４年１２月４日に出願された「Interoperation Techniques for WWAN and WLAN Receive Chains」と題されたＡｗｏｎｉｙｉ−Ｏｔｅｒｉらによる米国特許出願第１４／５６０，６３５号に対する優先権を主張する。
【背景技術】
【０００２】
開示の分野
[0002]本開示は、例えば、ワイヤレス通信システムに関し、さらに詳しくは、ワイヤレス広域ネットワーク（ＷＷＡＮ）およびワイヤレスローカルエリアネットワーク（ＷＬＡＮ）コンポーネントの協調的な使用に関する。
【０００３】
関連技術の説明
[0003]ワイヤレス通信システムは、音声、ビデオ、パケットデータ、メッセージング、ブロードキャスト等のような様々なタイプの通信コンテンツを提供するために広く展開される。これらシステムは、利用可能なシステムリソース（例えば、時間、周波数、および電力）を共有することによって、複数のユーザとの通信をサポートすることが可能な多元接続システムであり得る。このような多元接続システムの例は、符号分割多元接続（ＣＤＭＡ）システム、時分割多元接続（ＴＤＭＡ）システム、周波数分割多元接続（ＦＤＭＡ）システム、および直交周波数分割多元接続（ＯＦＤＭＡ）システムを含む。
【０００４】
[0004]例によれば、ワイヤレス多元接続通信システムは、多くの基地局またはアクセスポイントを含み得、各々は同時に、他の場合にはユーザ機器（ＵＥ）として知られている複数の通信デバイスのための通信をサポートする。基地局またはアクセスポイントは、ＵＥと、ダウンリンクチャネル（例えば、基地局からＵＥへの送信のため）およびアップリンクチャネル（例えば、ＵＥから基地局への送信のため）上で通信し得る。ＵＥと基地局との間の通信は、ワイヤレス広域ネットワーク（ＷＷＡＮ）を使用し得る一方、ＵＥとアクセスポイントとの間の通信は、ワイヤレスローカルエリアネットワーク（ＷＬＡＮ）を使用し得る。Ｗｉ−Ｆｉは、ＵＥによってサポートされている一般的なＷＬＡＮ技術の例である。ＵＥは典型的には、異なるＷＷＡＮおよびＷＬＡＮ受信（Ｒｘ）および送信（Ｔｘ）チェーンを含む。例えば、ＵＥは、ＷＷＡＮ通信のために使用される１つまたは複数のＲｘおよびＴｘチェーンを有し得、また、ＷＬＡＮ通信のために使用される１つまたは複数の別個のＲｘおよびＴｘチェーンを有し得る。
【０００５】
[0005]しばしば、ＷＷＡＮ  Ｒｘ／Ｔｘチェーンが使用される一方、ＷＬＡＮ  Ｒｘ／Ｔｘチェーンは、追加使用のために使用されていないか、または、追加使用のための容量を有している。例えば、ＵＥは、ＷＷＡＮ（例えば、ＬＴＥ（登録商標）ネットワーク）を使用して、したがって、１つまたは複数のＷＷＡＮ  Ｒｘ／Ｔｘチェーンを使用して、接続された状態にあり得る。典型的には、これは、１つまたは複数のＷＷＡＮ  Ｒｘ／Ｔｘチェーンが、いくつかの周波数または周波数帯域に調整されていることを意味する。しかしながら、ＵＥが、ＷＷＡＮを使用する間、ＵＥはまた、例えば、無線アクセス技術間（ＲＡＴ間）探索のケースにおけるように、セルを探索する必要性か、または、ＷＷＡＮ  Ｒｘ／Ｔｘチェーンが調整されるものと異なる周波数における測定を行う必要性を有し得る。
【発明の概要】
【０００６】
[0006]ＵＥは、一般に、異なる無線アクセス技術のために使用され得る複数のアンテナおよび複数のモジュールを含み得る。例えば、ＵＥと基地局との間の通信は、ワイヤレス広域ネットワーク（ＷＷＡＮ）を使用し得る一方、ＵＥとアクセスポイントとの間の通信は、ワイヤレスローカルエリアネットワーク（ＷＬＡＮ）を使用し得る。ＵＥは、典型的には、異なるＷＷＡＮおよびＷＬＡＮ受信（Ｒｘ）および送信（Ｔｘ）チェーンを含む。ＵＥが、ＷＷＡＮを使用する間、ＵＥはまた、ＷＬＡＮ  Ｒｘ／Ｔｘチェーンの一部を使用して測定を行うか、またはセルを探索し得る。周波数間（inter-frequency）測定または探索のようなＷＷＡＮ動作のためのＷＬＡＮ  Ｒｘ／Ｔｘチェーンの一部を共有するための２つのオプションが説明される。第１のオプションは、１つのＷＷＡＮキャリアがアクティブであり、第２の周波数を求めるＷＷＡＮ探索を実施する必要性があるときに、適用し得る。第２のオプションは、２つのキャリアがアクティブであり、ＵＥが、アクティブなキャリアのうちの１つと同じ帯域グループにある第３のキャリアを求めて探索する必要性を有するときに、適用し得る。
【０００７】
[0007]例示的な例の第１のセットでは、ワイヤレス通信のための方法が説明される。一例では、方法は、ユーザ機器（ＵＥ）の第１のアンテナにおいてワイヤレス広域ネットワーク（ＷＷＡＮ）信号を受信することと、ＵＥのＷＷＡＮモジュールのＷＷＡＮ受信チェーンの一部を用いてＷＷＡＮ信号を処理することと、ＷＷＡＮ信号を、ＷＷＡＮ受信チェーンから、ＵＥのワイヤレスローカルエリアネットワーク（ＷＬＡＮ）モジュールのＷＬＡＮ受信チェーンへルーティングすること（routing）と、ＷＬＡＮ受信チェーンの一部を用いてＷＷＡＮ信号を処理することと、を含み得る。
【０００８】
[0008]方法のいくつかの例では、ＷＷＡＮ信号を、ＷＷＡＮ受信チェーンから、ＷＬＡＮ受信チェーンへルーティングすることは、ＷＷＡＮ受信チェーンにおいてスイッチを構成することを含み得る。方法のいくつかの例では、第１のアンテナにおいてＷＷＡＮ信号を受信することは、ＷＷＡＮモジュールに関連付けられたダイバーシティＷＷＡＮアンテナにおいてＷＷＡＮ信号を受信することを含み得る。方法のいくつかの例では、第１のアンテナにおいてＷＷＡＮ信号を受信することは、ＷＬＡＮモジュールに関連付けられたＷＬＡＮアンテナにおいてＷＷＡＮ信号を受信することを含み得る。いくつかの例では、方法は、ＷＷＡＮ信号を、ＷＬＡＮモジュールから、ＷＷＡＮモジュールのＷＷＡＮ受信チェーンへルーティングすることを含み得る。方法のいくつかの例では、ＷＷＡＮ信号を、ＷＬＡＮモジュールから、ＷＷＡＮ受信チェーンへルーティングすることは、ＷＬＡＮ受信チェーンにおいてスイッチを構成することを含み得る。方法のいくつかの例では、ＷＷＡＮ受信チェーンの一部は、ＷＷＡＮモジュールの帯域通過フィルタを備える。方法のいくつかの例では、ＷＷＡＮ信号を、ＷＷＡＮ受信チェーンから、ＷＬＡＮ受信チェーンへルーティングすることは、ＷＷＡＮモジュールの帯域通過フィルタの後、ＷＷＡＮ信号をルーティングすることを含み得る。方法のいくつかの例では、ＷＬＡＮ受信チェーンの一部は、ＷＬＡＮモジュールの増幅器を備える。方法のいくつかの例では、ＷＷＡＮ信号は、ＷＷＡＮ探索測定結果（measurement）を含む。いくつかの例では、方法は、ＵＥの第２のアンテナにおいて第２のＷＷＡＮ信号を受信することを含み得、ここで、第２のＷＷＡＮ信号は、アクティブなダウンリンク信号を含む。
【０００９】
[0009]例示的な例の第２のセットでは、ワイヤレス通信のための装置が説明される。一例では、装置は、ユーザ機器（ＵＥ）の第１のアンテナにおいてワイヤレス広域ネットワーク（ＷＷＡＮ）信号を受信するための手段と、ＵＥのＷＷＡＮモジュールのＷＷＡＮ受信チェーンの一部を用いてＷＷＡＮ信号を処理するための手段と、ＷＷＡＮ信号を、ＷＷＡＮ受信チェーンから、ＵＥのワイヤレスローカルエリアネットワーク（ＷＬＡＮ）モジュールのＷＬＡＮ受信チェーンへルーティングするための手段と、ＷＬＡＮ受信チェーンの一部を用いてＷＷＡＮ信号を処理するための手段と、を含み得る。いくつかの例では、装置はさらに、例示的な例の第１のセットに関して上述されたワイヤレス通信のための方法の１つまたは複数の態様をインプリメントする（implementing）ための手段を含み得る。
【００１０】
[0010]例示的な例の第３のセットでは、ワイヤレス通信のための別の装置が説明される。一例では、装置は、プロセッサと、プロセッサと電子通信するメモリと、メモリに記憶された命令と、を含み得る。命令は、ユーザ機器（ＵＥ）の第１のアンテナにおいて、ワイヤレス広域ネットワーク（ＷＷＡＮ）信号を受信することと、ＵＥのＷＷＡＮモジュールのＷＷＡＮ受信チェーンの一部を用いてＷＷＡＮ信号を処理することと、ＷＷＡＮ信号を、ＷＷＡＮ受信チェーンから、ＵＥのワイヤレスローカルエリアネットワーク（ＷＬＡＮ）モジュールのＷＬＡＮ受信チェーンへルーティングすることと、ＷＬＡＮ受信チェーンの一部を用いてＷＷＡＮ信号を処理することと、を行うために、プロセッサによって実行可能であり得る。装置のいくつかの例では、命令はまた、例示的な例の第１のセットに関して上述されたワイヤレス通信のための方法の１つまたは複数の態様をインプリメントするためにプロセッサによって実行可能であり得る。
【００１１】
[0011]例示的な例の第４のセットでは、ワイヤレス通信のためのコンピュータ実行可能なコードを記憶する非一時的なコンピュータ読取可能な媒体が説明される。一例では、コードは、ユーザ機器（ＵＥ）の第１のアンテナにおいて、ワイヤレス広域ネットワーク（ＷＷＡＮ）信号を受信することと、ＵＥのＷＷＡＮモジュールのＷＷＡＮ受信チェーンの一部を用いてＷＷＡＮ信号を処理することと、ＷＷＡＮ信号を、ＷＷＡＮ受信チェーンから、ＵＥのワイヤレスローカルエリアネットワーク（ＷＬＡＮ）モジュールのＷＬＡＮ受信チェーンへルーティングすることと、ＷＬＡＮ受信チェーンの一部を用いてＷＷＡＮ信号を処理することと、を行うために、プロセッサによって実行可能であり得る。非一時的なコンピュータ読取可能な媒体のいくつかの例では、コードはまた、例示的な例の第１のセットに関して上述されたワイヤレス通信のための方法の１つまたは複数の態様をインプリメントするためにプロセッサによって実行可能であり得る。
【００１２】
[0012]前述は、以下に続く詳細な説明がより良く理解され得るために、本開示に従った例の特徴および技術的利点を幾分広く概説した。追加の特徴および利点が、以下に説明されるであろう。開示された概念および特定の例は、本開示の同じ目的を実行するための他の構造を修正または設計するための基礎として容易に利用され得る。このような等価な構成は、添付された特許請求の範囲の範囲から逸脱しない。本明細書に開示された概念の特性は、添付図面と関連して考慮されるとき、それらの体系および動作の方法の両方とも、関連付けられた利点とともに、以下の説明からより良好に理解されるであろう。図面の各々は、特許請求の範囲の限定の定義としてではなく、例示および説明の目的のためにのみ提供される。
【００１３】
[0013]本開示の性質および利点のさらなる理解は、以下の図面に対する参照によって実現され得る。添付図面では、同様のコンポーネントまたは特徴が、同じ参照ラベルを有し得る。さらに、同じタイプの様々なコンポーネントが、ダッシュ、および同様のコンポーネントを区別する第２のラベルを、参照ラベルに後続させることによって区別され得る。第１の参照ラベルのみが明細書で使用されている場合、この説明は、第２の参照ラベルに関わらず、同じ第１の参照ラベルを有する同様のコンポーネントのうちのいずれか１つに適用可能である。
【図面の簡単な説明】
【００１４】
【図１】[0014]図１は、本開示の様々な態様に従うワイヤレス通信システムのシステム図を示す。
【図２】[0015]図２は、本開示の様々な態様に従うワイヤレス通信システムの例を示すシステム図を例示する。
【図３】[0016]図３は、本開示の様々な態様に従うワイヤレス通信における使用のためのデバイスのブロック図を示す。
【図４】[0017]図４は、本開示の様々な態様に従うワイヤレス通信における使用のための別のデバイスのブロック図を示す。
【図５】[0018]図５は、本開示の様々な態様に従うワイヤレス通信における使用のためのシステムを示す。
【図６Ａ】[0019]図６Ａは、本開示の様々な態様に従うワイヤレス通信における使用のための別のシステムを示す。
【図６Ｂ】[0020]図６Ｂは、本開示の様々な態様に従うワイヤレス通信における使用のためのさらに別のシステムを示す。
【図７】[0021]図７は、本開示の様々な態様に従うワイヤレス通信における使用のためのさらにまた別のシステムを示す。
【図８】[0022]図８は、本開示の様々な態様に従うワイヤレス通信のための方法の例を例示するフローチャートである。
【図９】[0023]図９は、本開示の様々な態様に従うワイヤレス通信のための方法の別の例を例示するフローチャートである。
【詳細な説明】
【００１５】
[0024]異なるＲＡＴにおける通信を容易にするために、多くのＵＥは、複数のアンテナおよびＲｘ／Ｔｘモジュールを含む。一例では、ＵＥは、１つまたは複数のＷＷＡＮアンテナを含み得、また、少なくとも１つのＷＬＡＮアンテナをも含み得る。これらアンテナは各々、受信（Ｒｘ）および送信（Ｔｘ）チェーンを含む対応するモジュールに関連付けられ得る。ＵＥが、ＷＷＡＮ  Ｒｘ／Ｔｘチェーンを使用する間、ＵＥはまた、ＷＬＡＮ  Ｒｘ／Ｔｘチェーンの一部を使用して測定を行うか、またはセルを探索し得る。周波数間測定または探索のようなＷＷＡＮ動作のためのＷＬＡＮ  Ｒｘ／Ｔｘチェーンの一部を共有するための２つのオプションが説明される。
【００１６】
[0025]第１のオプションでは、追加のＷＷＡＮ周波数を求める探索は、ＷＷＡＮモジュールに関連付けられたダイバーシティアンテナを使用し得る。ダイバーシティＷＷＡＮアンテナを介して受信された測定結果（measurements）は、ＷＷＡＮ  Ｒｘチェーンにおける帯域通過フィルタまでおよびＷＷＡＮ  Ｒｘチェーンにおける帯域通過フィルタを含む、ＷＷＡＮモジュールのＷＷＡＮ  Ｒｘチェーンのフロントエンド無線周波数（ＲＦ）コンポーネントを通して処理され得る。受信した測定結果を、ＷＷＡＮ  Ｒｘチェーンから、信号が増幅されるＷＬＡＮ  Ｒｘチェーンへルーティングするために、ＷＷＡＮ  Ｒｘチェーンへスイッチが追加され得る。各ケースでは、ＷＷＡＮ  ＲｘチェーンおよびＷＬＡＮ  Ｒｘチェーンはそれぞれ、ＷＷＡＮモジュールおよびＷＬＡＮモジュールの一部であり得る。このオプションでは、ＷＷＡＮ  Ｒｘチェーンには、スイッチの挿入以外には何の変更も必要とされないことがあり、ＲＦコンポーネントが複製される必要もないことがあり、ＷＷＡＮモジュールおよびＷＬＡＮモジュールの既存のコンポーネントが使用され得る。しかしながら、このオプションでは、ＷＷＡＮ  Ｒｘチェーンは、同じ帯域グループ上の追加のＷＷＡＮ受信のために利用不可能になり得る。あるいは、同じ帯域グループにおける信号の受信のためにＷＷＡＮ  Ｒｘチェーンが共有されるケースでは、両方の受信に対するパフォーマンス低下が存在し得る。
【００１７】
[0026]第２のオプションでは、ＷＷＡＮ測定信号を受信するために、ＷＬＡＮアンテナが使用され得る。ＷＷＡＮ測定結果は、この後、ＷＷＡＮ  Ｒｘチェーンにおける帯域通過フィルタまでおよびＷＷＡＮ  Ｒｘチェーンにおける帯域通過フィルタを含む、ＷＷＡＮモジュールのＷＷＡＮ  ＲｘチェーンのフロントエンドＲＦコンポーネントへルーティングされ得る。ＷＷＡＮ測定結果は、この後、ＷＬＡＮモジュールのＷＬＡＮ  Ｒｘチェーンへルーティングされて戻され得る。このオプションでは、スイッチは、ＷＷＡＮ  ＲｘチェーンとＷＬＡＮ  Ｒｘチェーンとの両方のＲＦセクションにおいて追加または修正され、それらは、それぞれ、ＷＷＡＮモジュールおよびＷＬＡＮモジュールのコンポーネントであり得る。
【００１８】
[0027]両方のオプションにおいて、スイッチは、ＷＷＡＮ  ＲｘチェーンおよびＷＬＡＮ  Ｒｘチェーンのうちの少なくとも１つへ追加される。説明された共有オプションは、例えば、ＷＷＡＮ  ＲＡＴ間または周波数間測定が、キャリアアグリゲーションを用いてまたはキャリアアグリゲーション無しでなされる場合に適切である。
【００１９】
[0028]以下の説明は、例を提供し、特許請求の範囲に説明された範囲、適用可能性、または例を限定しない。本開示の範囲から逸脱することなく、議論された要素の機能および構成における変更がなされ得る。様々な例は、様々な手順またはコンポーネントを、必要に応じて、省略、代用、または追加し得る。例えば、説明された方法は、説明されたものとは異なる順序で実行され得、様々なステップが、追加、省略、または組み合わされ得る。また、いくつかの例に関して説明された特徴が、他の例においても組み合わされ得る。
【００２０】
[0029]最初に図１を参照して示すように、システム図は、ワイヤレス通信システム１００の例を例示する。ワイヤレス通信システム１００は、（１つまたは複数の）基地局１０５、（１つまたは複数の）アクセスポイント（ＡＰ）１１０、およびＵＥ１１５のようなモバイルデバイスを含み得る。ＡＰ１１０は、例えば、ＩＥＥＥ８０２．１１規格のファミリーのうちの少なくとも１つをインプリメントするネットワークのようなＷＬＡＮ無線アクセスネットワーク（ＲＡＮ）を介してワイヤレス通信を提供し得る。ＡＰ１１０は、例えば、ＵＥ１１５へＷｉ−Ｆｉまたは他のＷＬＡＮ通信アクセスを提供し得る。各ＡＰ１１０は、地理的カバレッジエリア１２２内のＵＥ１１５が、典型的に、ＡＰ１１０と通信できるように、地理的カバレッジエリア１２２を有する。ＵＥ１１５は、異なる無線アクセスネットワークを介してＡＰ１１０および基地局１０５と通信するマルチアクセスモバイルデバイスであり得る。移動局、携帯情報端末（ＰＤＡ）、他のハンドヘルドデバイス、ネットブック、ノートブックコンピュータ、タブレットコンピュータ、ラップトップ、ディスプレイデバイス（例えば、ＴＶ、コンピュータモニタ等）、プリンタ等のようなＵＥ１１５は、固定式または移動式であり得、基地局１０５の地理的カバレッジエリアである地理的カバレッジエリア１２２および／または１２０を横断し（traverse）得る。１つのＡＰ１１０しか例示されていないが、ワイヤレス通信システム１００は、複数のＡＰ１１０を含み得る。ＵＥ１１５のうちのいくつかまたはすべては、通信リンク１３５を介してＡＰ１１０と、および／または、通信リンク１２５を介して基地局１０５と関連し通信し得る。
【００２１】
[0030]ワイヤレス通信システム１００はまた、コアネットワーク１３０を含み得る。コアネットワーク１３０は、ユーザ認証、アクセス許可、トラッキング、インターネットプロトコル（ＩＰ）接続（connectivity）、および他のアクセス、ルーティング、またはモビリティ（mobility）機能を提供し得る。基地局１０５は、バックホールリンク１３２（例えば、Ｓ１等）を通してコアネットワーク１３０とインターフェースし、ＵＥ１１５との通信のための無線設定（configuration）およびスケジューリングを実行し得、または、（図示せず）基地局コントローラの制御の下で動作し得る。様々な例において、基地局１０５は、バックホールリンク１３４（例えば、Ｘ１等）を介して互いに、直接的または間接的（例えば、コアネットワーク１３０を通して）のいずれかで通信し得、それは、ワイヤードまたはワイヤレス通信リンクであり得る。
【００２２】
[0031]ＵＥ１１５は、１つよりも多くのＡＰ１１０および／または基地局１０５によってカバーされることができ、したがって、異なる時間において、複数のＡＰ１１０または基地局１０５と関連することができる。例えば、単一のＡＰ１１０と、ＵＥ１１５の関連付けられたセットとは、基本サービスセット（ＢＳＳ）と称され得る。拡張サービスセット（ＥＳＳ）は、接続されたＢＳＳのセットである。拡張サービスセットにおけるＡＰ１１０へ接続するために、配信システム（ＤＳ）（図示せず）が使用される。アクセスポイント１１０のための地理的カバレッジエリア１２２は、地理的カバレッジエリアの一部のみを構成するセクタ（図示せず）へ分割され得る。ワイヤレス通信システム１００は、可変サイズのカバレッジエリアと、異なる技術のためにオーバラップするカバレッジエリアを有する、異なるタイプのＡＰ１１０（例えば、大都市圏、ホームネットワーク等）を含み得る。図示されていないが、他のワイヤレスデバイスが、ＡＰ１１０と通信することができる。
【００２３】
[0032]基地局１０５は、基地局アンテナを介してＵＥ１１５とワイヤレスに通信し得る。基地局１０５サイトの各々は、各々の地理的カバレッジエリア１２０のための通信カバレッジを提供し得る。いくつかの例では、基地局１０５は、基地トランシーバ局、無線基地局、アクセスポイント、無線トランシーバ、ノードＢ、ｅノードＢ（ｅＮＢ）、ホームノードＢ、ホームｅノードＢ、または他のいくつかの適切な用語として称され得る。基地局１０５のための地理的カバレッジエリア１２０は、カバレッジエリアの一部のみを構成するセクタ（図示せず）へ分割され得る。ワイヤレス通信システム１００は、異なるタイプの基地局１０５（例えば、マクロおよび／またはスモールセル基地局）を含み得る。異なる技術のためにオーバラップする地理的カバレッジエリア１２０／１２２が存在し得る。
【００２４】
[0033]いくつかの例では、ワイヤレス通信システム１００は、ＬＴＥ／ＬＴＥ−Ａネットワークの一部を含む。ＬＴＥ／ＬＴＥ−Ａネットワークでは、エボルブドノードＢ（ｅＮＢ）という用語が、一般に、基地局１０５を説明するために使用され得る一方、ＵＥという用語は、一般に、モバイルデバイス１１５を説明するために使用され得る。ワイヤレス通信システム１００は、異なるタイプのｅＮＢが様々な地理的領域のためのカバレッジを提供するヘテロジニアスな（Heterogeneous）ＬＴＥ／ＬＴＥ−Ａネットワークであり得る。例えば、各ｅＮＢまたは基地局１０５は、マクロセル、スモールセル、および／または、他のタイプのセルのための通信カバレッジを提供し得る。「セル」という用語は、コンテキストに依存して、基地局、基地局に関連付けられたキャリアまたはコンポーネントキャリア、または、キャリアまたは基地局のカバレッジエリア（例えば、セクタ等）を説明するために使用されることができる３ＧＰＰ（登録商標）用語である。
【００２５】
[0034]マクロセルは、一般に、比較的大きい地理的エリア（例えば、半径数キロメートル）をカバーし、ネットワークプロバイダとのサービス加入を有するＵＥによる無制限のアクセスを許可し得る。スモールセルは、マクロセルと比較してより低電力の基地局であり、マクロセルと同じまたは異なる（例えば、ライセンスされた、ライセンスされていない、等といった）周波数帯域において動作し得る。スモールセルは、様々な例に従って、ピコセル、フェムトセル、およびマイクロセルを含み得る。ピコセルは、比較的より小さい地理的エリアをカバーし得、ネットワークプロバイダとのサービス加入を有するＵＥによる無制限のアクセスを許可し得る。フェムトセルはまた、比較的小さい地理的エリア（例えば、住宅）をカバーし得、フェムトセルとの関連を有するＵＥ（例えば、クローズされた加入者グループ（ＣＳＧ）におけるＵＥ、住宅内のユーザのためのＵＥ等）による制限されたアクセスを提供し得る。マクロセルのためのｅＮＢは、マクロｅＮＢと称され得る。スモールセルのためのｅＮＢは、スモールセルｅＮＢ、ピコｅＮＢ、フェムトｅＮＢ、またはホームｅＮＢと称され得る。ｅＮＢは、１つまたは複数（例えば２、３、４等）のセル（例えば、コンポーネントキャリア）をサポートし得る。
【００２６】
[0035]ワイヤレス通信システム１００は、同期または非同期動作をサポートし得る。同期動作の場合、基地局は、類似のフレームタイミングを有し得、異なる基地局からの送信は、時間においてほぼ揃えられ（be approximately aligned）得る。非同期動作の場合、基地局は、異なるフレームタイミングを有し得、異なる基地局からの送信は、時間において揃えられないことがある。本明細書において説明された技法は、同期または非同期動作のいずれかのために使用され得る。
【００２７】
[0036]開示された様々な例のうちのいくつかを適応させ得る通信ネットワークは、階層状のプロトコルスタックに従って動作するパケットベースのネットワークであり得る。ユーザプレーンでは、ベアラまたはパケットデータ収束プロトコル（ＰＤＣＰ）レイヤにおける通信は、ＩＰベースであり得る。無線リンク制御（ＲＬＣ）レイヤは、論理チャネルを介して通信するために、パケットセグメンテーションおよび再アセンブリを実行し得る。媒体アクセス制御（ＭＡＣ）レイヤは、優先度ハンドリングと、論理チャネルのトランスポートチャネルへの多重化とを実行し得る。ＭＡＣレイヤはまた、リンク効率を向上させるために、ＭＡＣレイヤにおける再送信を提供するようにハイブリッドＡＲＱ（ＨＡＲＱ）をも使用し得る。制御プレーンでは、無線リソース制御（ＲＲＣ）プロトコルレイヤが、ＵＥ１１５と、基地局１０５、またはユーザプレーンデータのための無線ベアラをサポートするコアネットワークとの間のＲＲＣ接続の確立、設定（configuration）、およびメンテナンスを提供し得る。物理（ＰＨＹ）レイヤでは、トランスポートチャネルが、物理チャネルへマッピングされ得る。
【００２８】
[0037]ＵＥ１１５は、ワイヤレス通信システム１００の全体にわたって分散され、各ＵＥ１１５は、固定式または移動式であり得る。ＵＥ１１５はまた、移動局、加入者局、移動ユニット、加入者ユニット、ワイヤレスユニット、遠隔ユニット、モバイルデバイス、ワイヤレスデバイス、ワイヤレス通信デバイス、遠隔デバイス、移動加入者局、アクセス端末、移動端末、ワイヤレス端末、遠隔端末、ハンドセット、ユーザエージェント、モバイルクライアント、クライアント、または他のいくつかの適切な用語を含み得るか、当業者によってこのように称され得る。ＵＥ１１５は、セルラ電話、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局等であり得る。ＵＥ１１５は、マクロｅＮＢ、スモールセルｅＮＢ、リレー基地局、ＡＰ等を含む様々なタイプの基地局およびネットワーク機器と通信することができ得る。
【００２９】
[0038]ワイヤレス通信システム１００に示される通信リンク１２５は、ＵＥ１１５から基地局１０５へのアップリンク（ＵＬ）送信、および／または、基地局１０５からＵＥ１１５へのダウンリンク（ＤＬ）送信を含み得る。ダウンリンク送信はまた、順方向リンク送信とも呼ばれ得る一方、アップリック送信はまた、逆方向リンク送信とも呼ばれ得る。各通信リンク１２５は、少なくとも１つのキャリアを含み得、ここで、各キャリアは、上述された様々な無線技術に従って変調された複数のサブキャリアから構成される信号（例えば、異なる周波数の波形信号）であり得る。変調された各信号は、異なるサブキャリア上で送られ得、制御情報（例えば、基準信号、制御チャネル等）、オーバヘッド情報、ユーザデータ等を搬送し得る。通信リンク１２５は、ＦＤＤ動作（例えば、ペアとされた（paired）スペクトルリソースを使用する）、またはＴＤＤ動作（例えば、ペアとされていない（unpaired）スペクトルリソースを使用する）を使用して、双方向通信を送信し得る。ＦＤＤのためのフレーム構造（例えば、フレーム構造タイプ１）およびＴＤＤのためのフレーム構造（例えば、フレーム構造タイプ２）が定義され得る。同様に、ワイヤレス通信システム１００においても示されている通信リンク１３５は、ＵＥ１１５からアクセスポイント１１０へのＵＬ送信、および／または、アクセスポイント１１０からＵＥ１１５へのＤＬ送信を含み得る。
【００３０】
[0039]システム１００のいくつかの実施形態では、基地局１０５、ＡＰ１１０、および／または、ＵＥ１１５は、基地局１０５、ＡＰ１１０、およびＵＥ１１５の間の通信品質および信頼性を向上させるために、アンテナダイバーシティスキームを採用するための複数のアンテナを含み得る。それに加えて、または、その代わりに、基地局１０５、ＡＰ１１０、および／または、ＵＥ１１５は、同じまたは異なるコード化（coded）データを搬送する複数の空間レイヤを送信するためにマルチパス環境を活用し得る多入力多出力（ＭＩＭＯ）技法を採用し得る。ＡＰ１１０は、基地局１０５へ統合され得、これによって、基地局１０５は、ＡＰ１１０の機能を実行することも可能となる。
【００３１】
[0040]システム１００は、基地局１０５とアクセスポイント１１０との両方と通信するＵＥ１１５−ａを含む。例として、ＵＥ１１５−ａは、Ｗｉ−Ｆｉまたは他のＷＬＡＮ通信を使用してアクセスポイント１１０と通信し得る一方、ＵＥ１１５−ａは、ＬＴＥまたは他のＷＷＡＮ通信を使用して基地局１０５と通信し得る。ＵＥ１１５−ａが、１つの基地局１０５と通信している間、ＵＥ１１５−ａは、近隣の基地局１０５から探索測定結果を受信し得る。探索測定結果は、ＵＥ１１５−ａに対して、近隣の基地局１０５によって使用されている周波数およびＲＡＴを通知し得る。ＵＥ１１５−ａは、ＵＥ１１５−ａにおけるＷＬＡＮ受信チェーンの一部を利用することによって、他のＷＷＡＮ通信と同時またはほぼ同時に、探索測定結果を受信し処理し得る。
【００３２】
[0041]図２は、ワイヤレス通信システム２００の例を示すシステム図を例示する。ワイヤレス通信システム２００は、基地局１０５−ａ−１、１０５−ａ−２、アクセスポイント１１０−ａ、およびＵＥ１１５−ｂを含み得る。ＵＥ１１５−ｂは、図１のシステム１００におけるＵＥ１１５−ａの例であり得、ＷＷＡＮ通信およびＷＬＡＮ通信の両方が可能であり得る。基地局１０５−ａ−１、１０５−ａ−２は、図１のシステム１００に含まれる基地局１０５の例であり得、アクセスポイント１１０−ａは、図１のシステム１００におけるアクセスポイント１１０の例であり得る。
【００３３】
[0042]システム２００では、ＵＥ１１５−ｂは、少なくとも２つの異なるアンテナ、すなわち、ＷＷＡＮアンテナ２０５およびＷＬＡＮアンテナ２１０を含み得る。例えば、ＷＷＡＮアンテナ２０５は、ＷＷＡＮモジュールに関連付けられたＷＷＡＮアンテナであり得る。ＷＷＡＮアンテナ２０５を使用して、ＵＥ１１５−ｂは、基地局１０５−ａ−１とのＷＷＡＮ通信に携わる。ＷＷＡＮアンテナ２０５および関連付けられたＷＷＡＮモジュールは、ＷＷＡＮ通信中に使用されるＲｘチェーンおよびＴｘチェーンの両方を含み得る。ＷＷＡＮアンテナ２０５はまた、基地局１０５−ａ−１および／または基地局１０５−ａ−２との複数のＷＷＡＮ通信を容易にするために、１つまたは複数のダイバーシティＷＷＡＮアンテナを含み得る。いくつかの例では、ダイバーシティＷＷＡＮアンテナ２０５のうちの１つまたは複数は、同じ基地局、または、基地局１０５−ａ−２のような近隣の基地局に関連付けられ得る近隣のセルからＷＷＡＮ探索測定結果を受信し得る。近隣のセルは、ＷＷＡＮアンテナで受信されるＷＷＡＮ信号と同じ周波数、異なる周波数、または異なるＲＡＴにあり得る。これら探索測定結果は、同期チャネル、パイロットチャネル、およびブロードキャストチャネルのようなセルからの制御情報を備え得る。ＵＥ１１５−ｂは、ＷＬＡＮ  Ｒｘチェーンの一部による処理のために、受信したＷＷＡＮ探索測定結果を、ＷＬＡＮモジュールへルーティングし得る。ＷＬＡＮ  Ｒｘチェーンの一部を使用することによって、ＵＥ１１５−ｂは、ＷＷＡＮアンテナ２０５から他のＷＷＡＮ通信を受信し処理するのと同時またはほぼ同時に、ＷＷＡＮ探索測定結果を受信し処理し得る。
【００３４】
[0043]システム２００では、ＵＥ１１５−ｂは、（通信リンク１３５を介して）アクセスポイント１１０−ａと通信するために、ＷＬＡＮアンテナ２１０を使用し得る。アクセスポイント１１０−ａとの通信は、Ｗｉ−Ｆｉまたは他のＷＬＡＮ通信であり得る。いくつかの例では、ＷＬＡＮアンテナ２１０はまた、基地局１０５−ａ−２のような近隣の基地局から、ＷＷＡＮ探索測定結果を受信し得る。ＵＥ１１５−ｂは、受信したＷＷＡＮ探索測定結果を、ＷＷＡＮ  ＲｘチェーンのＲＦフロントエンドコンポーネントによる処理のために、ＷＷＡＮモジュールへルーティングし得る。ＵＥ１１５−ｂは、この後、ＷＬＡＮ  Ｒｘチェーンの一部によるさらなる処理のために、ＷＷＡＮ探索測定結果をＷＬＡＮモジュールへルーティングして戻し得る。ＷＬＡＮアンテナでＷＷＡＮ探索測定結果を受信することによって、および、ＷＬＡＮ  Ｒｘチェーンの一部を使用することによって、ＵＥ１１５−ｂは、ＷＷＡＮアンテナ２０５から他のＷＷＡＮ通信を受信し処理するのと同時またはほぼ同時に、ＷＷＡＮ探索測定結果を受信し処理し得る。
【００３５】
[0044]図３は、本開示の様々な態様に従うワイヤレス通信における使用のためのデバイス３０５のブロック図３００を示す。デバイス３０５は、図１および／または図２を参照して説明されたＵＥ１１５の１つまたは複数の態様の例であり得る。デバイス３０５は、受信機モジュール３１０、ワイヤレス通信／移動局モデム（ＭＳＭ）コントローラ３１５、および／または、送信機モジュール３２０を含み得る。デバイス３０５はまた、プロセッサ（図示せず）であり得るか、プロセッサを含み得る。これらモジュールの各々は、互いに通信し得る。
【００３６】
[0045]デバイス３０５のコンポーネントは、個々にまたは集合的に、ハードウェアにおいて適用可能な機能のうちのいくつかまたはすべてを実行するように適合された１つまたは複数の特定用途向け集積回路（ＡＳＩＣ）を使用してインプリメントされ得る。あるいは、これら機能は、１つまたは複数の集積回路において、１つまたは複数の他の処理ユニット（またはコア）によって実行され得る。他の例では、他のタイプの集積回路（例えば、ストラクチャ／プラットフォームＡＳＩＣ、フィールドプログラマブルゲートアレイ（ＦＰＧＡ）、および他のセミカスタムＩＣ）が使用され得、それらは、当該技術分野において知られている任意の方式でプログラムされ得る。各モジュールの機能もまた、全体または部分において、メモリにおいて具体化され、１つまたは複数の汎用または特定用途向けプロセッサによって実行されるようにフォーマットされた命令を用いてインプリメントされ得る。
【００３７】
[0046]受信機モジュール３１０は、パケット、ユーザデータ、および／または、様々な情報チャネル（例えば、制御チャネル、データチャネル等）に関連付けられた制御情報のような情報を受信し得る。受信機モジュール３１０は、（Ｗｉ−Ｆｉ通信のような）ＷＬＡＮ通信と（ＬＴＥまたはＧＳＭ（登録商標）通信のような）ＷＷＡＮ通信との両方を受信するように構成され得る。受信機モジュール３１０は、ＷＷＡＮ探索測定結果を処理するために、ＷＬＡＮ通信を受信するためのコンポーネントを使用し得る。受信機モジュール３１０は、この後、ＷＬＡＮコンポーネントによって処理されたＷＷＡＮ探索測定結果を、ワイヤレス通信／ＭＳＭコントローラ３１５へ渡し得る。
【００３８】
[0047]ワイヤレス通信／ＭＳＭコントローラ３１５は、ＭＳＭのコンポーネントのうちのいくつかまたはすべてを含み得、および／または、ＭＳＭおよび他のワイヤレス通信を制御し得る。ワイヤレス通信／ＭＳＭコントローラ３１５は、ＷＬＡＮ通信を受信するためのコンポーネントを用いてＷＷＡＮ探索測定結果を処理するように、受信機モジュール３１０を構成し得る。ワイヤレス通信／ＭＳＭコントローラ３１５はまた、受信したＷＷＡＮ探索測定結果に基づいて、受信機モジュール３１０および送信機モジュール３２０を構成し得る。例えば、受信機モジュール３１０および送信機モジュール３２０は、近隣のセルの周波数およびＲＡＴ情報に基づいて構成され得る。ワイヤレス通信／ＭＳＭコントローラ３１５はまた、ＷＷＡＮ通信および／またはＷＬＡＮ通信のデジタル処理を実行し得る。ワイヤレス通信／ＭＳＭコントローラ３１５に関するさらなる詳細は、例えば、図４に関連して以下に説明される。
【００３９】
[0048]送信機モジュール３２０は、パケット、ユーザデータ、および／または、様々な情報チャネル（例えば、制御チャネル、データチャネル等）に関連付けられた制御情報のような情報を送信し得る。送信機モジュール３２０は、（Ｗｉ−Ｆｉ通信のような）ＷＬＡＮ通信と（ＬＴＥまたはＧＳＭ通信のような）ＷＷＡＮ通信との両方を送信するように構成され得る。
【００４０】
[0049]図４は、様々な例に従うワイヤレス通信における使用のためのデバイス３０５−ａのブロック図４００を示す。デバイス３０５−ａは、図１および／または図２を参照して説明されたＵＥ１１５の１つまたは複数の態様の例であり得る。それはまた、図３を参照して説明されたデバイス３０５の例であり得る。デバイス３０５−ａは、受信機モジュール３１０−ａ、ワイヤレス通信／ＭＳＭコントローラ３１５−ａ、および／または、送信機モジュール３２０−ａを含み得、それらは、デバイス３０５の対応するモジュールの例であり得る。デバイス３０５−ａはまた、プロセッサ（図示せず）を含み得る。これらコンポーネントの各々は、互いに通信し得る。いくつかの例では、送信機モジュール３２０−ａは、受信機モジュール３１０−ａとコロケートされ（be collocated）得る。
【００４１】
[0050]受信機モジュール３１０−ａおよび送信機モジュール３２０−ａはともに、ＷＷＡＮモジュール４０５およびＷＬＡＮモジュール４１０を含み得る。図４に例示される例では、受信機モジュール３１０−ａおよび送信機モジュール３２０−ａは各々、ＷＷＡＮモジュール４０５およびＷＬＡＮモジュール４１０を共有する。したがって、いくつかの実施形態では、受信機モジュール３１０−ａおよび送信機モジュール３２０−ａは、コロケートされ得る。他の実施形態では、受信機モジュール３１０−ａおよび送信機モジュール３２０−ａは各々、別個のＷＷＡＮおよびＷＬＡＮモジュールを含み得る。ＷＷＡＮモジュール４０５は、受信されたＷＷＡＮ通信を処理するために使用され得る。ＷＷＡＮモジュール４０５は、ＷＷＡＮモデムのＴｘチェーンおよびＲｘチェーンのコンポーネントのうちのいくつかまたはすべてを含み得る。ＷＷＡＮモジュール４０５はまた、受信されたＷＷＡＮ探索測定結果を、処理のために、ＷＬＡＮモジュール４１０へルーティングし得る。ＷＷＡＮモジュール４０５は、ＷＬＡＮ通信とＷＷＡＮ通信との両方を送信するために使用され得る。ＷＬＡＮモジュール４１０は、ＷＬＡＮモデムのＴｘチェーンおよびＲｘチェーンのコンポーネントのうちのいくつかまたはすべてを含み得る。ＷＬＡＮモジュール４１０は、ＷＬＡＮ通信とＷＷＡＮ探索測定結果との両方を処理し得る。ＷＷＡＮ探索測定結果は、ＷＬＡＮモジュール４１０におけるコンポーネントの一部によって処理され得、この後、ワイヤレス通信／ＭＳＭコントローラ３１５−ａへ渡され得る。
【００４２】
[0051]ワイヤレス通信／ＭＳＭコントローラ３１５−ａは、ＷＷＡＮモジュール４０５および／またはＷＬＡＮモジュール４１０のコンポーネントのうちのいくつかまたはすべてを含み得るか、および／または、ＷＷＡＮモジュール４０５およびＷＬＡＮモジュール４１０の動作を制御し得る。ワイヤレス通信／ＭＳＭコントローラ３１５−ａは、ＷＷＡＮモジュール４０５とＷＬＡＮモジュール４１０との間のＷＷＡＮ探索測定結果のルーティングを制御し得る。ワイヤレス通信／ＭＳＭコントローラ３１５−ａは、探索測定モジュール４１５を含み得る。探索測定モジュール４１５は、ワイヤレス通信／ＭＳＭコントローラ３１５−ａに対して、追加のＷＷＡＮセルまたはＲＡＴを求めて探索するように指示し得る。探索測定モジュール４１５はまた、受信機モジュール３１０−ａおよび送信機モジュール３２０−ａに、近隣のセルによって使用される周波数および／またはＲＡＴにおいて情報を提供するために、ＷＷＡＮ探索測定の結果をも使用し得る。
【００４３】
[0052]図５は、様々な例に従うワイヤレス通信における使用のためのシステム５００を示す。システム５００は、ＵＥ１１５−ｃを含み得、それは、図１および／または図２のＵＥ１１５の例であり得る。ＵＥ１１５−ｃはまた、図３および／または図４のデバイス３０５の１つまたは複数の態様の例であり得る。
【００４４】
[0053]ＵＥ１１５−ｃは、ＷＷＡＮモジュール４０５−ａ、ＷＬＡＮモジュール４１０−ａ、およびワイヤレス通信／ＭＳＭコントローラ３１５−ｂを含み得る。ＷＷＡＮモジュール４０５−ａは、プライマリＷＷＡＮアンテナ２０５−ａおよびダイバーシティＷＷＡＮアンテナ２０５−ｂに関連付けられ得る。ＷＷＡＮモジュールはまた、フロントエンド（ＦＥ）部分５０５およびバックエンド（ＢＥ）部分５３０に分割されたＷＷＡＮ  Ｒｘチェーンを含み得る。ＷＬＡＮモジュールは、ＷＬＡＮアンテナ２１０−ａに関連付けられ得、ＷＬＡＮ  Ｒｘチェーン５１０を含み得る。
【００４５】
[0054]いくつかの例では、ＷＷＡＮモジュール４０５−ａは、ダイバーシティＷＷＡＮアンテナ２０５−ｂから、ＷＷＡＮ探索測定結果を受信し得る。ＷＷＡＮモジュール４０５−ａは、受信されたＷＷＡＮ探索測定結果を、ＷＷＡＮ  Ｒｘチェーンのフロントエンド部分５０５を用いて処理し得る。例えば、ＷＷＡＮモジュール４０５−ａは、受信されたＷＷＡＮ探索測定結果を、ＷＷＡＮ  ＲｘチェーンのＲＦ受信機コンポーネントを用いて処理し得る。ＷＷＡＮ探索測定結果はこの後、第１のスイッチ５１５を介してＷＬＡＮモジュール４１０−ａへルーティングされ得る。第１のスイッチ５１５は、ＷＷＡＮ探索測定結果が、ＷＷＡＮ  Ｒｘチェーンの残りのバックエンド部分５３０をバイパスできるように、ＷＷＡＮ探索測定結果をＷＬＡＮモジュール４１０−ａへルーティングするように構成され得る。このように、ＷＷＡＮ  Ｒｘチェーンのバックエンド部分５３０は、受信された他のＷＷＡＮ通信を処理するための向上された利用可能性を有し得る。
【００４６】
[0055]ＷＬＡＮモジュール４１０−ａは、ＷＬＡＮ  Ｒｘチェーン５１０の一部を使用してＷＷＡＮ探索測定結果を処理し得る。例えば、ＷＷＡＮ探索測定結果は、ＷＬＡＮ  Ｒｘチェーン５１０の増幅器を使用して処理され得る。ＷＷＡＮ探索測定結果はこの後、第２のスイッチ５２０を介してワイヤレス通信／ＭＳＭコントローラ３１５−ｂへルーティングされ得る。
【００４７】
[0056]いくつかの例では、ＷＬＡＮモジュール４１０−ａは、ＷＬＡＮアンテナ２１０−ａからＷＷＡＮ探索測定結果を受信し得る。ＷＬＡＮモジュール４１０−ａは、受信されたＷＷＡＮ探索測定結果を、第３のスイッチ５２５を介して、ＷＷＡＮ  Ｒｘチェーンのフロントエンド部分５０５へルーティングし得る。ＷＬＡＮ  Ｒｘチェーン５１０のコンポーネントの前に、第３のスイッチ５２５が構成され得る。ＷＷＡＮモジュール４０５−ａは、ＷＷＡＮ  ＲｘチェーンのＲＦ受信機コンポーネントのようなＷＷＡＮ  Ｒｘチェーンのフロントエンド部分５０５を使用してＷＷＡＮ探索測定結果を処理し得る。ＷＷＡＮモジュール４０５−ａは、この後、ＷＷＡＮ探索測定結果を、第１のスイッチ５１５を介してＷＬＡＮモジュール４１０−ａへルーティングして戻し得る。ＷＬＡＮモジュール４１０−ａは、この後、上述されたように、ＷＷＡＮ探索測定結果の処理を完了し得る。
【００４８】
[0057]ワイヤレス通信／ＭＳＭコントローラ３１５−ｂは、第１、第２、および第３のスイッチ５１５、５２０、５２５を用いて、ＷＷＡＮモジュール４０５−ａとＷＬＡＮモジュール４１０−ａとの間のＷＷＡＮ探索測定結果のルーティングを制御し得る。ワイヤレス通信／ＭＳＭコントローラ３１５−ａは、探索測定モジュール４１５−ａを含み得る。探索測定モジュール４１５−ａは、ＷＷＡＮ探索測定結果を受信し得、近隣のセルによって使用される周波数および／またはＲＡＴにおいて、ＵＥ１１５−ｃへ情報を提供するために、ＷＷＡＮ探索測定の結果を使用し得る。
【００４９】
[0058]図６Ａは、様々な例に従うワイヤレス通信における使用のためのシステム６００−ａを示す。システム６００−ａは、ＵＥ１１５−ｄを含み得、それは、図１、図２、および／または図５のＵＥ１１５の例であり得る。ＵＥ１１５−ｄはまた、図３および／または図４のデバイス３０５の１つまたは複数の態様の例であり得る。
【００５０】
[0059]ＵＥ１１５−ｄは、ＷＷＡＮモジュール４０５−ｂ、ＷＬＡＮモジュール４１０−ｂ、およびワイヤレス通信／ＭＳＭコントローラ３１５−ｃを含み得る。ＷＷＡＮモジュール４０５−ｂは、プライマリＷＷＡＮアンテナ２０５−ｃおよびダイバーシティＷＷＡＮアンテナ２０５―ｄに関連付けられ得る。ＷＷＡＮモジュールはまた、ＷＷＡＮ  Ｒｘチェーンのフロントエンド（ＦＥ）部分５０５−ａおよびＷＷＡＮ  Ｒｘチェーンのバックエンド（ＢＥ）部分５３０−ａを含み得る。ＷＬＡＮモジュールは、ＷＬＡＮアンテナ２１０−ｂに関連付けられ得、ＷＬＡＮ  Ｒｘチェーン５１０−ａを含み得る。
【００５１】
[0060]ＷＷＡＮモジュール４０５−ｂは、ダイバーシティＷＷＡＮアンテナ２０５−ｄからＷＷＡＮ探索測定結果を受信し得る。ＷＷＡＮモジュール４０５−ｂは、受信されたＷＷＡＮ探索測定結果を、ＷＷＡＮ  Ｒｘチェーンのフロントエンド部分５０５−ａを用いて処理し得る。ＷＷＡＮ  Ｒｘチェーンのフロントエンド部分５０５−ａは、ＷＷＡＮ  ＲｘチェーンのＲＦ受信機内に帯域通過フィルタ６０５を含み得る。ＷＷＡＮ探索測定結果はこの後、第１のスイッチ５１５−ａを介して、ＷＬＡＮモジュール４１０−ｂへルーティングされ得る。第１のスイッチ５１５−ａは、ＷＷＡＮ探索測定結果が、ＷＷＡＮ  Ｒｘチェーンの残りのバックエンド部分５３０−ａをバイパスできるように、ＷＷＡＮ探索測定結果をＷＬＡＮモジュール４１０−ｂへルーティングするように構成され得る。ＷＷＡＮ  Ｒｘチェーンの残りのバックエンド部分５３０−ａは、ＷＷＡＮ低ノイズ増幅器（ＬＮＡ）６３０、ＷＷＡＮダウンコンバータ６３５、および／または、ＷＷＡＮ  Ｒｘフィルタ６４０のようなコンポーネントを含み得る。このように、ＷＷＡＮ  Ｒｘチェーンのバックエンド部分５３０−ａのコンポーネントは、受信された他のＷＷＡＮ通信を処理するための向上された利用可能性を有し得る。
【００５２】
[0061]ＷＬＡＮモジュール４１０−ｂは、ＷＬＡＮ  Ｒｘチェーン５１０−ａの一部を使用して、ＷＷＡＮ探索測定結果を処理し得る。ＷＬＡＮ  Ｒｘチェーン５１０−ａの一部は、ＷＬＡＮ低ノイズ増幅器（ＬＮＡ）６１５、ＷＬＡＮダウンコンバータ６２０、および／または、ＷＬＡＮ  Ｒｘフィルタ６２５を含み得る。ＲＦフロントエンド受信機コンポーネントのようなＷＬＡＮ  Ｒｘチェーン５１０−ａの他のコンポーネントは、バイパスされ得る。ＷＷＡＮ探索測定結果はこの後、第２のスイッチ５２０−ａを介してワイヤレス通信／ＭＳＭコントローラ３１５−ｃへルーティングされ得る。
【００５３】
[0062]図６Ｂは、様々な例に従うワイヤレス通信における使用のためのシステム６００−ｂを示す。システム６００−ｂは、ＵＥ１１５−ｅを含み得、それは図１、図２、および／または図５のＵＥ１１５の例であり得る。ＵＥ１１５−ｅはまた、図３および／または図４のデバイス３０５の１つまたは複数の態様の例であり得る。
【００５４】
[0063]ＵＥ１１５−ｅは、ＷＷＡＮモジュール４０５−ｃ、ＷＬＡＮモジュール４１０−ｃ、およびワイヤレス通信／ＭＳＭコントローラ３１５−ｄを含み得る。ＷＷＡＮモジュール４０５−ｃは、プライマリＷＷＡＮアンテナ２０５−ｅおよびダイバーシティＷＷＡＮアンテナ２０５−ｆに関連付けられ得る。ＷＷＡＮモジュール４０５−ｃはまた、ＷＷＡＮ  Ｒｘチェーンのフロントエンド（ＦＥ）部分５０５−ｂと、ＷＷＡＮ  Ｒｘチェーンのバックエンド（ＢＥ）部分５３０−ｂとを含み得る。ＷＬＡＮモジュール４１０−ｃは、ＷＬＡＮアンテナ２１０−ｃに関連付けられ得、ＷＬＡＮ  Ｒｘチェーン５１０−ｂを含み得る。
【００５５】
[0064]ＷＬＡＮモジュール４１０−ｃは、ＷＬＡＮアンテナ２１０−ｃでＷＷＡＮ探索測定結果を受信し得る。ＷＬＡＮモジュール４１０−ｃは、受信されたＷＷＡＮ探索測定結果を、第３のスイッチ５２５−ａを介してＷＷＡＮ  Ｒｘチェーンのフロントエンド部分５０５−ｂへルーティングし得る。ＷＬＡＮ  Ｒｘチェーン５１０−ｂのコンポーネントの前に、第３のスイッチ５２５−ａが構成され得る。ＷＷＡＮモジュール４０５−ｃは、ＷＷＡＮ  Ｒｘチェーンのフロントエンド部分５０５−ｂを使用してＷＷＡＮ探索測定結果を処理し得る。ＷＷＡＮ  Ｒｘチェーンのフロントエンド部分５０５−ｂは、ＷＷＡＮ  ＲｘチェーンのＲＦ受信機内に帯域通過フィルタ６０５−ａを含み得る。ＷＷＡＮモジュール４０５−ｃはこの後、ＷＷＡＮ探索測定結果を、第１のスイッチ５１５−ｂを介してＷＬＡＮモジュール４１０−ｃへルーティングして戻し得る。ＷＷＡＮ探索測定結果が、ＷＷＡＮ  Ｒｘチェーンの残りのバックエンド部分５３０−ｂをバイパスできるように、第１のスイッチ５１５−ｂは、ＷＷＡＮ探索測定結果を、ＷＬＡＮモジュール４１０−ｃへルーティングするように構成され得る。ＷＷＡＮ  Ｒｘチェーンの残りのバックエンド部分５３０−ｂは、ＷＷＡＮ低ノイズ増幅器（ＬＮＡ）６３０、ＷＷＡＮダウンコンバータ６３５、および／または、ＷＷＡＮ  Ｒｘフィルタ６４０のようなコンポーネントを含み得る。このように、ＷＷＡＮ  Ｒｘチェーンのバックエンド部分５３０−ｂのコンポーネントは、受信された他のＷＷＡＮ通信を処理するための向上された利用可能性を有し得る。
【００５６】
[0065]ＷＬＡＮモジュール４１０−ｃは、ＷＬＡＮ  Ｒｘチェーン５１０−ｂの一部を使用して、ＷＷＡＮ探索測定結果を処理し得る。ＷＬＡＮ  Ｒｘチェーン５１０−ｂの一部は、ＷＬＡＮ低ノイズ増幅器（ＬＮＡ）６１５、ＷＬＡＮダウンコンバータ６２０、および／または、ＷＬＡＮ  Ｒｘフィルタ６２５を含み得る。ＲＦフロントエンド受信機コンポーネントのようなＷＬＡＮ  Ｒｘチェーン５１０−ｂの他のコンポーネントが、バイパスされ得る。ＷＷＡＮ探索測定結果は、この後、第２のスイッチ５２０−ｂを介して、ワイヤレス通信／ＭＳＭコントローラ３１５−ｄへルーティングされ得る。
【００５７】
[0066]図７は、様々な例に従うワイヤレス通信における使用のためのシステム７００を示す。システム７００は、ＵＥ１１５−ｆを含み得、それは、図１、図２、図５、図６Ａ、および／または、図６ＢのＵＥ１１５の例であり得る。ＵＥ１１５−ｆはまた、図３および／または図４のデバイス３０５の１つまたは複数の態様の例であり得る。
【００５８】
[0067]ＵＥ１１５−ｆは、一般に、通信を送信するためのコンポーネントと、通信を受信するためのコンポーネントとを含む双方向音声およびデータ通信のためのコンポーネントを含み得る。ＵＥ１１５−ｆは、（１つまたは複数の）プライマリＷＷＡＮアンテナ２０５−ｇ、（１つまたは複数の）ダイバーシティＷＷＡＮアンテナ２０５−ｈ、（１つまたは複数の）ＷＬＡＮアンテナ２１０−ｄ、トランシーバモジュール７３５、プロセッサモジュール７０５、および（ソフトウェア（ＳＷ）７２０を含む）メモリ７１５を含み得、それらは各々、（例えば、１つまたは複数のバス７４５を介して）互いに直接的または間接的に通信し得る。トランシーバモジュール７３５は、上述されたように、（１つまたは複数の）プライマリＷＷＡＮアンテナ２０５−ｇ、（１つまたは複数の）ダイバーシティＷＷＡＮアンテナ２０５−ｈ、（１つまたは複数の）ＷＬＡＮアンテナ２１０−ｄ、および／または、１つまたは複数のワイヤードまたはワイヤレスリンクを介して、１つまたは複数のネットワークと双方向に通信するように構成され得る。例えば、トランシーバモジュール７３５は、図１および／または図２を参照して示すように、基地局１０５と、および、アクセスポイント１１０と、双方向に通信するように構成され得る。トランシーバモジュール７３５は、パケットを変調し、変調されたパケットを、送信のために、（１つまたは複数の）プライマリＷＷＡＮアンテナ２０５−ｇおよび／または（１つまたは複数の）ダイバーシティＷＷＡＮアンテナ２０５−ｈへ提供し、（１つまたは複数の）プライマリＷＷＡＮアンテナ２０５−ｇおよび／または（１つまたは複数の）ダイバーシティＷＷＡＮアンテナ２０５−ｈから受信されたパケットを復調するように構成されたＷＷＡＮモジュール４０５−ｄを含み得る。
【００５９】
[0068]ＵＥ１１５−ｆは、複数のプライマリＷＷＡＮアンテナ２０５−ｇと、複数のワイヤレス通信を同時に送信および／または受信することが可能な複数のダイバーシティＷＷＡＮアンテナ２０５−ｈとを有し得る。トランシーバモジュール７３５は、複数のコンポーネントキャリアおよび／または通信ネットワークを介して１つまたは複数の基地局１０５と同時に通信することが可能であり得る。それに加えて、トランシーバモジュール７３５は、パケットを変調し、変調されたパケットを、送信のために（１つまたは複数の）ＷＬＡＮアンテナ２１０−ｄへ提供し、（１つまたは複数の）ＷＬＡＮアンテナ２１０−ｄから受信されたパケットを復調するように構成されたＷＬＡＮモジュール４１０−ｄを含み得る。ＵＥ１１５−ｆは、複数のワイヤレス通信を同時に送信および／または受信することが可能な複数のＷＬＡＮアンテナ２１０−ｄを有し得る。トランシーバモジュール７３５は、（１つまたは複数の）ＷＬＡＮアンテナ２１０−ｄを介して、１つまたは複数のアクセスポイント１１０と通信することが可能であり得る。トランシーバモジュール７３５は、ＷＷＡＮ探索測定結果を処理するために、ＷＬＡＮモジュール４１０−ｄにおけるコンポーネントの一部を使用し得る。いくつかの例では、ＷＷＡＮ探索測定結果は、（１つまたは複数の）ＷＷＡＮアンテナ２０５−ｇのうちの１つで受信され得る。他の例では、ＷＷＡＮ探索測定結果が、（１つまたは複数の）ＷＬＡＮアンテナ２１０−ｄにおいて受信され得る。
【００６０】
[0069]ＵＥ１１５−ｅは、ワイヤレス通信／ＭＳＭコントローラ３１５−ｅを含み得、それは、図３および図４のデバイス３０５の、および／または、図５、図６Ａ、および図６ＢのＵＥ１１５のワイヤレス通信／ＭＳＭコントローラ３１５について上述された機能を実行し得る。ワイヤレス通信／ＭＳＭコントローラ３１５−ｅは、ＷＷＡＮモジュール４０５−ｇとＷＬＡＮモジュール４１０−ｄとの間の探索測定結果のルーティングを制御し得る。いくつかの例では、ワイヤレス通信／ＭＳＭコントローラ３１５−ｅはまた、ＷＬＡＮ通信とＷＷＡＮ探索測定結果のため、（１つまたは複数の）ＷＬＡＮアンテナ２１０−ｄの共有を制御し得る。ワイヤレス通信／ＭＳＭコントローラ３１５−ｅは、探索測定モジュール４１５−ｄを含み得る。探索測定モジュール４１５−ｄは、ワイヤレス通信／ＭＳＭコントローラ３１５−ｅに対して、追加のＷＷＡＮセルまたはＲＡＴを探索するように指示し得る。探索測定モジュール４１５−ｄはまた、近隣のセルによって使用される周波数および／またはＲＡＴにおいて、ＵＥ１１５−ｆへ情報を提供するために、探索測定の結果を使用し得る。
【００６１】
[0070]メモリ７１５は、ランダムアクセスメモリ（ＲＡＭ）および読取専用メモリ（ＲＯＭ）を含み得る。メモリ７１５は、実行された場合、プロセッサモジュール７０５に、本明細書で説明された様々な機能（例えば、ＷＷＡＮ探索測定結果を、処理のためにＷＬＡＮ  Ｒｘチェーンの一部へルーティングする等）を実行させるように構成された命令を含むコンピュータ読取可能な、コンピュータ実行可能なソフトウェア／ファームウェアコード７２０を記憶し得る。あるいは、コンピュータ読取可能な、コンピュータ実行可能なソフトウェア／ファームウェアコード７２０は、プロセッサモジュール７０５によって直接的に実行可能ではないことがあるが、（例えば、コンパイルされ実行された場合）コンピュータに、本明細書で説明された機能を実行させるように構成され得る。プロセッサモジュール７０５は、例えば、中央処理ユニット（ＣＰＵ）、マイクロコントローラ、特定用途向け集積回路（ＡＳＩＣ）等のようなインテリジェントハードウェアデバイスを含み得る。
【００６２】
[0071]図８は、本開示の様々な態様に従うワイヤレス通信のための方法８００の例を例示するフローチャートである。明確化のために、方法８００は、図１、図２、図５、図６Ａ、図６Ｂ、および／または図７を参照して説明されたＵＥ１１５の１つまたは複数の態様、および／または、図３および／または図４を参照して説明されたデバイス３０５の１つまたは複数の態様を参照して以下に説明される。いくつかの例では、ＵＥは、以下に説明された機能を実行するために、ＵＥの機能的要素を制御するためのコードの１つまたは複数のセットを実行し得る。それに加えて、または、その代わりに、ＵＥは、専用ハードウェアを使用して、以下に説明された機能の１つまたは複数を実行し得る。
【００６３】
[0072]ブロック８０５では、方法８００は、ユーザ機器（ＵＥ）の第１のアンテナにおいてワイヤレス広域ネットワーク（ＷＷＡＮ）信号を受信することを含み得る。いくつかの例では、第１のアンテナは、ＵＥのＷＷＡＮモジュールに関連付けられたダイバーシティＷＷＡＮアンテナであり得る。他の例では、第１のアンテナは、ＵＥのＷＬＡＮモジュールに関連付けられたＷＬＡＮアンテナであり得る。ＷＷＡＮ信号は、ＷＷＡＮ探索測定結果を含み得る。ブロック８０５における動作は、図４、図５、図６Ａ、図６Ｂ、および図７を参照して説明されたＷＷＡＮモジュール４０５またはＷＬＡＮモジュール４１０を使用して実行され得る。
【００６４】
[0073]ブロック８１０では、方法８００は、ＵＥのＷＷＡＮモジュールのＷＷＡＮ受信チェーンの一部を用いてＷＷＡＮ信号を処理することを含み得る。ＷＷＡＮ受信チェーンの一部は、ＷＷＡＮ受信チェーンのＲＦフロントエンド内に帯域通過フィルタを含み得る。ブロック８１０における動作は、図４、図５、図６Ａ、図６Ｂ、および図７を参照して説明されたＷＷＡＮモジュール４０５を使用して実行され得る。
【００６５】
[0074]ブロック８１５では、方法８００は、ＷＷＡＮ信号を、ＷＷＡＮ受信チェーンから、ＵＥのワイヤレスローカルエリアネットワーク（ＷＬＡＮ）モジュールのＷＬＡＮ受信チェーンへルーティングすることを含み得る。ＷＷＡＮ信号は、ＷＷＡＮ受信チェーンのＲＦフロントエンドにおける帯域通過フィルタの後にルーティングされ得、ＷＷＡＮ受信チェーンの他のコンポーネントをバイパスし得る。ＷＷＡＮ信号は、ＷＷＡＮ受信チェーンにおけるスイッチを使用してルーティングされ得る。ブロック８１５における動作は、図４、図５、図６Ａ、図６Ｂ、および図７を参照して説明されたＷＷＡＮモジュール４０５を使用して実行され得る。
【００６６】
[0075]ブロック８２０では、方法８００は、ＷＬＡＮ受信チェーンの一部を用いてＷＷＡＮ信号を処理することを含み得る。ＷＷＡＮ受信チェーンの一部は、ＷＬＡＮモジュールの増幅器を含み得る。ブロック８２０における動作は、図４、図５、図６Ａ、図６Ｂ、および図７を参照して説明されたＷＬＡＮモジュール４１０を使用して実行され得る。この後、ＭＳＭのようなベースバンドコントローラによって、ＷＷＡＮ信号に対してデジタルベースバンド処理が実行され得る。
【００６７】
[0076]したがって、方法８００は、ワイヤレス通信を提供し得る。方法８００は、単なる１つのインプリメンテーション（implementation）であり、方法８００の動作は再アレンジされ得るか、さもなければ、他のインプリメンテーションが可能となるように修正され得ることが留意されるべきである。
【００６８】
[0077]図９は、本開示の様々な態様に従うワイヤレス通信のための方法９００の例を例示するフローチャートである。明確化のために、方法９００は、図１、図２、図５、図６Ａ、図６Ｂ、および／または図７を参照して説明されるＵＥ１１５の１つまたは複数の態様、および／または、図３および／または図４を参照して説明されるデバイス３０５の１つまたは複数の態様を参照して以下に説明される。いくつかの例では、ＵＥは、以下に説明された機能を実行するために、ＵＥの機能的要素を制御するためのコードの１つまたは複数のセットを実行し得る。それに加えて、または、その代わりに、ＵＥは、専用ハードウェアを使用して、以下に説明された機能の１つまたは複数を実行し得る。
【００６９】
[0078]ブロック９０５では、方法９００は、ユーザ機器（ＵＥ）のＷＬＡＮモジュールに関連付けられたＷＬＡＮアンテナでＷＷＡＮ信号を受信することを含み得る。ＷＷＡＮ信号は、ＷＷＡＮ探索測定結果を含み得る。ブロック９０５における動作は、図４、図５、図６Ａ、図６Ｂ、および図７を参照して説明されたＷＬＡＮモジュール４１０を使用して実行され得る。
【００７０】
[0079]ブロック９１０では、方法９００は、ＷＷＡＮ信号を、ＷＬＡＮモジュールから、ＷＷＡＮモジュールのＷＷＡＮ受信チェーンへルーティングすることを含み得る。ＷＷＡＮ信号は、ＷＬＡＮ受信チェーンにおけるスイッチを使用して、ＷＬＡＮモジュールのＲＦフロントエンドコンポーネントの前にルーティングされ得る。ブロック９１０における動作は、図４、図５、図６Ａ、図６Ｂ、および図７を参照して説明されたＷＬＡＮモジュール４１０を使用して実行され得る。
【００７１】
[0080]ブロック９１５では、方法９００は、ＵＥのＷＷＡＮモジュールのＷＷＡＮ受信チェーンの一部を用いてＷＷＡＮ信号を処理することを含み得る。ＷＷＡＮ受信チェーンの一部は、ＷＷＡＮモジュールのＲＦフロントエンド内に帯域通過フィルタを含み得る。ブロック９１５における動作は、図４、図５、図６Ａ、図６Ｂ、および図７を参照して説明されたＷＷＡＮモジュール４０５を使用して実行され得る。
【００７２】
[0081]ブロック９２０では、方法９００は、ＷＷＡＮ信号を、ＷＷＡＮ受信チェーンから、ＵＥのＷＬＡＮモジュールのＷＬＡＮ受信チェーンへルーティングすることを含み得る。ＷＷＡＮ信号は、ＷＷＡＮ受信チェーンのＲＦフロントエンドにおける帯域通過フィルタの後にルーティングされ得、ＷＷＡＮ受信チェーンの他のコンポーネントをバイパスし得る。ＷＷＡＮ信号は、ＷＷＡＮ受信チェーンにおけるスイッチを使用してルーティングされ得る。ブロック９２０における動作は、図４、図５、図６Ａ、図６Ｂ、および図７を参照して説明されたＷＷＡＮモジュール４０５を使用して実行され得る。
【００７３】
[0082]ブロック９２５では、方法９００は、ＷＬＡＮ受信チェーンの一部を用いてＷＷＡＮ信号を処理することを含み得る。ＷＷＡＮ受信チェーンの一部は、ＷＬＡＮモジュールの増幅器を含み得る。ブロック９２５における動作は、図４、図５、図６Ａ、図６Ｂ、および図７を参照して説明されたＷＬＡＮモジュール４１０を使用して実行され得る。この後、ＭＳＭのようなベースバンドコントローラによって、ＷＷＡＮ信号に対してデジタルベースバンド処理が実行され得る。
【００７４】
[0083]したがって、方法９００は、ワイヤレス通信を提供し得る。方法９００は、単なる１つのインプリメンテーションであり、方法９００の動作は再アレンジされ得るか、さもなければ、他のインプリメンテーションが可能となるように修正され得ることが留意されるべきである。
【００７５】
[0084]本明細書で説明された技法は、ＣＤＭＡ、ＴＤＭＡ、ＦＤＭＡ、ＯＦＤＭＡ、ＳＣ−ＦＤＭＡ、および他のシステムのような様々なワイヤレス通信システムのために使用され得る。「システム」および「ネットワーク」という用語は、しばしば置換可能に使用される。ＣＤＭＡシステムは、ＣＤＭＡ２０００、ユニバーサル地上無線アクセス（ＵＴＲＡ）等のような無線技術をインプリメントし得る。ＣＤＭＡ２０００は、ＩＳ−２０００規格、ＩＳ−９５規格、およびＩＳ−８５６規格をカバーする。ＩＳ−２０００リリース０およびＡは、一般に、ＣＤＭＡ２０００  １Ｘ、１Ｘ等と称される。ＩＳ−８５６（ＴＩＡ−８５６）は、一般に、ＣＤＭＡ２０００  １ｘＥＶ−ＤＯ、高レートパケットデータ（ＨＲＰＤ）等と称される。ＵＴＲＡは、広帯域ＣＤＭＡ（ＷＣＤＭＡ（登録商標））、およびＣＤＭＡの他の変形を含む。ＴＤＭＡシステムは、例えばグローバル移動体通信システム（ＧＳＭ）のような無線技術をインプリメントし得る。ＯＦＤＭＡシステムは、ウルトラモバイルブロードバンド（ＵＭＢ）、エボルブドＵＴＲＡ（Ｅ−ＵＴＲＡ）、ＩＥＥＥ８０２．１１（ＷｉＦｉ）、ＩＥＥＥ８０２．１６（ＷｉＭＡＸ）、ＩＥＥＥ８０２．２０、Ｆｌａｓｈ−ＯＦＤＭ（商標）等のような無線技術をインプリメントし得る。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新リリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の組織からの文書において説明されている。ＣＤＭＡ２０００およびＵＭＢは、「第３世代パートナーシッププロジェクト２」（３ＧＰＰ２）という名称の組織からの文書において説明されている。本明細書で説明された技法は、上記で述べられたシステムおよび無線技術のためのみならず、ライセンスされていないおよび／または共有された帯域幅でのセルラ（例えば、ＬＴＥ）通信を含む他のシステムおよび無線技術のために使用され得る。しかしながら、上記の説明は、例の目的のために、ＬＴＥ／ＬＴＥ−Ａシステムを説明し、ＬＴＥ用語は、上記説明の多くで使用されるが、これら技法は、ＬＴＥ／ＬＴＥ−Ａアプリケーションを超えて適用可能である。
【００７６】
[0085]添付図面に関連して上記で述べられた詳細な説明は、例を説明しており、インプリメントされ得る、または、特許請求の範囲内にあり得る、唯一の例を示してはいない。「例」および「例示的な」という用語は、本説明において使用される場合、「例、事例、または例示としてサービス提供する（serving）」ことを意味し、「好適な」または「他の例よりも有利」を意味しない。詳細な説明は、説明された技法の理解を提供する目的のための特定の詳細を含む。しかしながら、これらの技法は、これら特定の詳細無しで実現され得る。いくつかの事例では、説明された例の概念を曖昧にすることを避けるために、周知の構造および装置が、ブロック図形式で示される。
【００７７】
[0086]情報および信号は、様々な異なる技術および技法のうちのいずれかを使用して表され得る。例えば、上記説明を通じて参照され得るデータ、命令、コマンド、情報、信号、ビット、シンボル、およびチップは、電圧、電流、電磁波、磁場または磁性粒子、光学場または光学粒子、またはこれらの任意の組合せによって表され得る。
【００７８】
[0087]本明細書における開示に関連して説明された様々な例示的なブロックおよびコンポーネントは、汎用プロセッサ、デジタル信号プロセッサ（ＤＳＰ）、ＡＳＩＣ、ＦＰＧＡまたは他のプログラマブル論理デバイス、ディスクリートゲートまたはトランジスタロジック、ディスクリートハードウェアコンポーネント、または、本明細書で説明された機能を実行するように設計されたこれら任意の組合せを用いてインプリメントまたは実行され得る。汎用プロセッサは、マイクロプロセッサであり得るが、代替例では、このプロセッサは、任意の従来式のプロセッサ、コントローラ、マイクロコントローラ、またはステートマシンであり得る。プロセッサはまた、例えばＤＳＰとマイクロプロセッサとの組合せ、複数のマイクロプロセッサ、ＤＳＰコアと連携する１つまたは複数のマイクロプロセッサ、または他の任意のこのような構成であるコンピューティングデバイスの組合せとしてインプリメントされ得る。
【００７９】
[0088]本明細書において説明された機能は、ハードウェア、プロセッサによって実行されるソフトウェア、ファームウェア、またはこれらの任意の組合せにおいてインプリメントされ得る。プロセッサによって実行されるソフトウェアにおいてインプリメントされる場合、これら機能は、１つまたは複数の命令またはコードとして、コンピュータ読取可能な媒体上に記憶され得るか、または、コンピュータ読取可能な媒体を介して送信され得る。他の例およびインプリメンテーションは、本開示および添付された特許請求の範囲の範囲および精神内である。例えば、ソフトウェアの性質により、上記説明された機能は、プロセッサ、ハードウェア、ファームウェア、ハードワイヤリング、または、これらのうちのいずれかの組合せによって実行されるソフトウェアを使用してインプリメントされることができる。機能をインプリメントする特徴はまた、これら機能の一部が異なる物理的なロケーションにおいてインプリメントされることができるように分散されていることを含む様々な位置において物理的に配置され得る。特許請求の範囲におけるものを含めて、本明細書において使用されるように、２つ以上の項目のリストにおいて使用されるとき、「および／または」という用語は、リストされた項目のうちのいずれか１つは、それ自身によって採用されることができるか、または、リストされた項目のうちの２つ以上の任意の組合せが採用されることができることを意味する。例えば、構成が、Ａ、Ｂ、および／またはＣというコンポーネントを含むとして説明されている場合、構成は、Ａのみ、Ｂのみ、Ｃのみ、ＡとＢの組合せ、ＡとＣの組合せ、ＢとＣの組合せ、または、Ａ、Ｂ、およびＣの組合せを含むことができる。また、本明細書において使用されるように、特許請求の範囲におけるものを含めて、項目のリスト（例えば、「の少なくとも１つ」または「の１つまたは複数」のようなフレーズによって開始される項目のリスト）において使用されるような「または」は、例えば、「Ａ、Ｂ、またはＣのうちの少なくとも１つ」のリストが、ＡまたはＢまたはＣまたはＡＢまたはＡＣまたはＢＣまたはＡＢＣ（すなわち、ＡとＢとＣ）を意味するように離接的なリストを示す。
【００８０】
[0089]コンピュータ読取可能な媒体は、コンピュータ記憶媒体と、コンピュータプログラムの１つの場所から別の場所への転送を容易にする任意の媒体を含む通信媒体との両方を含む。記憶媒体は、汎用または専用のコンピュータによってアクセスされることができる任意の利用可能な媒体であり得る。例によれば、限定ではないが、コンピュータ読取可能な媒体は、ＲＡＭ、ＲＯＭ、ＥＥＰＲＯＭ（登録商標）、フラッシュメモリ、ＣＤ−ＲＯＭ、または他の光ディスク記憶装置、磁気ディスク記憶装置または他の磁気記憶デバイス、または、命令またはデータ構造の形式で、所望されたプログラムコード手段を搬送または記憶するために使用されることができ、しかも、汎用または専用のコンピュータ、または、汎用または専用のプロセッサによってアクセスされることができる他の任意の媒体を備えることができる。また、いかなる接続も、コンピュータ読取可能な媒体として適切に称される。例えば、同軸ケーブル、光ファイバケーブル、ツイストペア、デジタル加入者線（ＤＳＬ）、または、赤外線、無線、およびマイクロ波のようなワイヤレス技術を使用して、ウェブサイト、サーバ、または他の遠隔ソースからソフトウェアが送信される場合、同軸ケーブル、光ファイバケーブル、ツイストペア、ＤＳＬ、または、赤外線、無線およびマイクロ波のようなワイヤレス技術が、媒体の定義に含まれる。本明細書において使用されるようなディスク（ｄｉｓｋ）およびディスク（ｄｉｓｃ）は、コンパクトディスク（ｄｉｓｃ）（ＣＤ）、レーザーディスク（登録商標）（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびＢｌｕ−ｒａｙ（登録商標）ディスク（ｄｉｓｃ）を含み、ディスク（ｄｉｓｋ）は、通常、データを磁気的に再生する一方、ディスク（ｄｉｓｃ）は、レーザを用いてデータを光学的に再生する。上記の組合せもまた、コンピュータ読取可能な媒体の範囲内に含まれる。
【００８１】
[0090]本開示の前の説明は、当業者が本開示を製作または使用することを可能にするために提供される。本開示に対する様々な修正は、当業者に容易に明らかになるであろう。そして、本明細書で定義された一般的な原理は、本開示の範囲から逸脱することなく、他のバリエーションへ適用され得る。したがって、本開示は、本明細書で説明された例および設計に限定されるべきではなく、本明細書で開示された原理および新規の特徴と一致する最も広い範囲を与えられるべきである。
【図１】
2018504807.tif 000003
【図２】
2018504807.tif 000004
【図３】
2018504807.tif 000005
【図４】
2018504807.tif 000006
【図５】
2018504807.tif 000007
【図６Ａ】
2018504807.tif 000008
【図６Ｂ】
2018504807.tif 000009
【図７】
2018504807.tif 000010
【図８】
2018504807.tif 000011
【図９】
2018504807.tif 000012
【国際調査報告】
2018504807.tif 000013
2018504807.tif 000014